【手続補正書】
【提出日】平成16年12月3日(2004.12.3)
【手続補正１】
【補正対象書類名】特許請求の範囲
【補正対象項目名】全文
【補正方法】変更
【補正の内容】
【特許請求の範囲】
【請求項１】
（Ｉ）全成分の重量に基づいて０．１〜９９．８９重量％の、
【化１】
2004521174.tif 000001
［式中、Ｙはそれぞれ独立して、Ｒ'（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ'（エポキシ官能基またはクロロヒドリン官能基と反応する官能基）、Ｆ（ＺまたはＺ'以外の官能基）、およびＯ（酸素基）から選択され、ただし、シロキサン中の少なくとも５０モル％のＹ基はＲ'であるものとし、シロキサン中には少なくとも２つのＺおよび／またはＺ'基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ'基を含有し、ただし、シロキサン（Ｉ）のＹがＺ基を含有する場合には該架橋剤はＺ'基を含有し、シロキサン（Ｉ）のＹがＺ'基を含有する場合には該架橋剤はＺ基を含有し、シロキサン（Ｉ）のＹがＺおよびＺ'基を含有する場合には該架橋剤はＺ基、Ｚ'基、またはその両方を含有する）とを（ここで、さらに（Ｉ）、（ＩＩ）、または（Ｉ）および（ＩＩ）の両方は少なくとも１つのＦ基を含有する）、
（ＩＩＩ）全成分の重量に基づいて０．１〜９９．８９重量％の、（ｉ）水、（ｉｉ）シリコーン流体、（ｉｉｉ）極性有機化合物、および（ｉｖ）無極性有機化合物、ならびに（ｖ）それらの混合物から選択される希釈剤中で
反応させることによって製造される、ゲルおよび／または組織化構造（organized structure）の形態のシリコーンエラストマー。
【請求項２】
前記シロキサン（Ｉ）には少なくとも２つのＺ'基が存在し、前記架橋剤（ＩＩ）はＺ基を含有する、請求項１に記載のシリコーンエラストマー。
【請求項３】
前記シロキサン（Ｉ）には少なくとも２つのＺ基が存在し、前記架橋剤（ＩＩ）はＺ'基を含有する、請求項１に記載のシリコーンエラストマー。
【請求項４】
前記シロキサン（Ｉ）は少なくとも１つのＦ基を含有する、請求項１に記載のシリコーンエラストマー。
【請求項５】
（ＩＶ）１〜８０重量％の界面活性剤がさらに存在する、請求項１に記載のシリコーンエラストマー。
【請求項６】
（Ｖ）活性成分がさらに存在する、請求項１に記載のシリコーンエラストマー。
【請求項７】
（Ｉ）全成分の重量に基づいて０．１〜９９．８９重量％の、
【化２】
2004521174.tif 000002
［式中、Ｙはそれぞれ独立して、Ｒ'（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ'（エポキシ官能基またはクロロヒドリン官能基と反応する官能基）、Ｆ（ＺまたはＺ'以外の官能基）、およびＯ（酸素基）から選択され、ただし、シロキサン中の少なくとも５０モル％のＹ基はＲ'であるものとし、シロキサン中には少なくとも２つのＺおよび／またはＺ'基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ'基を含有し、シロキサン（Ｉ）のＹがＺ基を含有する場合には該架橋剤はＺ'基を含有し、シロキサン（Ｉ）のＹがＺ'基を含有する場合には該架橋剤はＺ基を含有し、シロキサン（Ｉ）のＹがＺおよびＺ'基を含有する場合には該架橋剤はＺ基、Ｚ'基、またはその両方を含有する）とを、
（ＩＩＩ）全成分の重量に基づいて０．１〜９９．８９重量％の官能性シリコーン流体中で
反応させることによって製造される、ゲルおよび／または組織化構造の形態のシリコーンエラストマー。
【請求項８】
（Ａ）（Ｉ）全成分の重量に基づいて０．１〜９９．８９重量％の、
【化３】
2004521174.tif 000003
［式中、Ｙはそれぞれ独立して、Ｒ'（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ'（エポキシ官能基またはクロロヒドリン官能基と反応する官能基）、およびＯ（酸素基）から選択され、ただし、シロキサン中の少なくとも５０モル％のＹ基はＲ'であるものとし、シロキサン中には少なくとも２つのＺおよび／またはＺ'基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ'基を含有し、シロキサン（Ｉ）のＹがＺ基を含有する場合には該架橋剤はＺ'基を含有し、シロキサン（Ｉ）のＹがＺ'基を含有する場合には該架橋剤はＺ基を含有し、シロキサン（Ｉ）のＹがＺおよびＺ'基を含有する場合には該架橋剤はＺ基、Ｚ'基、またはその両方を含有する）とを、
（ＩＩＩ）（全成分の重量に基づいて０．１〜９９．８９重量％の、ｉ）水、（ｉｉ）シリコーン流体、（ｉｉｉ）極性有機化合物、および（ｉｖ）無極性有機化合物、ならびに（ｖ）それらの混合物から選択される希釈剤中で反応させることと、
（Ｂ）（Ａ）で生成した生成物を、官能基Ｆ（ここで、ＦはＺでもＺ'でもない）を含有する化合物とさらに反応させることと
によって製造される、ゲルおよび／または組織化構造の形態のシリコーンエラストマー。
【請求項９】
（Ａ）（Ｉ）全成分の重量に基づいて０．１〜９９．８９重量％の、
【化４】
2004521174.tif 000004
［式中、Ｙはそれぞれ独立して、Ｒ'（１〜３０個のＣ原子を有するアルキル基、６〜１５個の炭素原子を有するアリール基、６〜１５個の炭素原子を有するアルカリール基、および６〜１５個の炭素原子を有するアラルキル基）、Ｚ（エポキシ官能基またはクロロヒドリン官能基から選択される反応基）、Ｚ'（エポキシ基またはクロロヒドリン官能基と反応する官能基）、およびＯ（酸素基）から選択され、ただし、シロキサン中の少なくとも５０モル％のＹ基はＲ'であるものとし、シロキサン中には少なくとも２つのＺおよび／またはＺ'基があるものとする］の単位を有するシロキサンオリゴマーまたはポリマーと、
（ＩＩ）全成分の重量に基づいて０．１〜９９．８９重量％の架橋剤（ここで、該架橋剤は、Ｚおよび／またはＺ'基を含有し、シロキサン（Ｉ）のＹがＺ基を含有する場合には該架橋剤はＺ'基を含有し、シロキサン（Ｉ）のＹがＺ'基を含有する場合には該架橋剤はＺ基を含有し、シロキサン（Ｉ）のＹがＺおよびＺ'基を含有する場合には該架橋剤はＺ基、Ｚ'基、またはその両方を含有する）と、
（ＩＩＩ）官能基Ｆ（ここで、ＦはＺでもＺ'でもない）を含有する化合物とを、
（ＩＶ）全成分の重量に基づいて０．１〜９９．８９重量％の、（ｉ）水、（ｉｉ）シリコーン流体、（ｉｉｉ）極性有機化合物、および（ｉｖ）無極性有機化合物、ならびに（ｖ）それらの混合物から選択される希釈剤中で
反応させることによって製造される、ゲルおよび／または組織化構造の形態のシリコーンエラストマー。